(57)【要約】【課題】登録された行き先階情報に関し、登録の取り消し操作の誤検出を排除するエレベータ制御装置を提供する。【解決手段】実施形態によればエレベータ制御装置は、エレベータの乗りかごに設置された行き先階登録ボタンで既に登録された行き先階情報に関し、当該行き先階登録ボタンで所定の操作が行われると、登録された行き先階情報を取り消す。その際、行き先階情報の登録から所定の第１期間は、前記行き先階情報を取り消すための操作を無効とする。【選択図】図１
2014162620.tif 000002
【特許請求の範囲】
【請求項１】
エレベータの乗りかごに設置された行き先階登録ボタンで所定の操作が行われると、登録された行き先階情報を取り消すエレベータ制御装置において、
行き先階情報の登録から所定の第１期間は、前記行き先階情報を取り消すための操作を無効とする情報処理部を有する
ことを特徴とするエレベータ制御装置。
【請求項２】
前記情報処理部は、行き先階の登録後、乗りかごが戸閉してから次の戸開までの期間は行き先階情報を取り消すための操作を無効とする
ことを特徴とする請求項１に記載のエレベータ制御装置。
【請求項３】
前記情報処理部は、行き先階の登録から、前記第１期間よりも長い所定の第２期間が経過した後は、前記行き先階情報を取り消すための操作を無効とする
ことを特徴とする請求項１または２に記載のエレベータ制御装置。
【請求項４】
前記情報処理部は、行き先階の登録後、乗りかごが戸閉する直前に起動された行き先階情報を取り消すための操作を有効とし、当該操作から所定の第３期間は行き先階情報を取り消すための操作が起動された状態を継続する
ことを特徴とする請求項１〜３いずれか１項に記載のエレベータ制御装置。
【請求項５】
前記情報処理部は、行き先階の登録後、行き先階登録ボタンが長押しされたときに、行き先階情報を取り消す処理を起動する
ことを特徴とする請求項１〜４いずれか１項に記載のエレベータ制御装置。
【請求項６】
前記情報処理部は、行き先階の登録後、行き先階情報を取り消す処理が起動されてから所定の第４期間内に行き先階登録ボタンが所定回数以上操作されたときには、当該第４期間中の操作はすべて無効とする
ことを特徴とする請求項１〜５いずれか１項に記載のエレベータ制御装置。
【請求項７】
前記エレベータは、乗りかご内に車椅子専用の行き先階登録ボタンと、一般用の行き先階登録ボタンとを有し、
前記情報処理部は、
前記車椅子専用の行き先階登録ボタンで行き先階情報を取り消すための処理が起動された後、前記車椅子専用の行き先階登録ボタンで実行された行き先階情報を取り消すための操作は有効とし、
前記車椅子専用の行き先階登録ボタンで行き先階情報を取り消すための処理が起動された後、前記一般用の行き先階登録ボタンで実行された行き先階情報を取り消すための操作は無効とする
ことを特徴とする請求項１〜６いずれか１項に記載のエレベータ制御装置。
【発明の詳細な説明】
【技術分野】
【０００１】
本発明の実施形態は、エレベータ制御装置に関する。
【背景技術】
【０００２】
従来、エレベータ制御装置には、利用者の操作により登録された行き先階情報を、利用者の操作で取り消すための機能が備えられている。例えば、行き先階を指定するために押下されたボタンがさらに連続して押下されたときに、当該行き先階登録を取り消す機能がある。
【０００３】
このような機能を搭載することにより、利用者が誤って行き先階以外の登録ボタンを押下して行き先階情報を登録してしまったときにも、利用者自身の操作で当該登録を取り消すことができ、停止する必要のない階床に乗りかごが停止してしまう事態を避けることができる。
【先行技術文献】
【特許文献】
【０００４】
【特許文献１】特開平８−７３１３６号公報
【発明の概要】
【発明が解決しようとする課題】
【０００５】
しかし、上述したような行き先階登録を取り消す機能が搭載されると、利用者が急いでいるために行き先階登録ボタンを連続で何度か押下した場合や、複数の利用者が続けて同じ行き先階登録ボタンを押下した場合など、行き先階登録の取り消し目的ではない場合にも誤って行き先階登録が取り消されてしまう場合があった。
【０００６】
本発明は上記事情に鑑みてなされたものであり、登録された行き先階情報に関し、登録の取り消し操作の誤検出を排除するエレベータ制御装置を提供することを目的とする。
【課題を解決するための手段】
【０００７】
上記目的を達成するための実施形態によればエレベータ制御装置は、エレベータの乗りかごに設置された行き先階登録ボタンで既に登録された行き先階情報に関し、当該行き先階登録ボタンで所定の操作が行われると、登録された行き先階情報を取り消す。その際、行き先階情報の登録から所定の第１期間は、前記行き先階情報を取り消すための操作を無効とする。
【図面の簡単な説明】
【０００８】
【図１】第１実施形態〜第６実施形態によるエレベータ制御装置が接続されたエレベータの構成を示す全体図。
【図２】第１実施形態〜第７実施形態によるエレベータ制御装置の構成を示すブロック図。
【図３】第１実施形態〜第３実施形態によるエレベータ制御装置の動作を示すフローチャート。
【図４】第１実施形態によるエレベータ制御装置およびかご操作盤の動作を示すタイミングチャート。
【図５】第２実施形態によるエレベータ制御装置およびかご操作盤の動作を示すタイミングチャート。
【図６】第３実施形態によるエレベータ制御装置およびかご操作盤の動作を示すタイミングチャート。
【図７】第４実施形態によるエレベータ制御装置の動作を示すフローチャート。
【図８】第４実施形態によるエレベータ制御装置およびかご操作盤の動作を示すタイミングチャート。
【図９】第５実施形態によるエレベータ制御装置の動作を示すフローチャート。
【図１０】第５実施形態によるエレベータ制御装置およびかご操作盤の動作を示すタイミングチャート。
【図１１】第６実施形態によるエレベータ制御装置の動作を示すフローチャート。
【図１２】第６実施形態によるエレベータ制御装置およびかご操作盤の動作を示すタイミングチャート。
【図１３】第７実施形態によるエレベータ制御装置が接続されたエレベータの構成を示す全体図。
【図１４】第７実施形態によるエレベータ制御装置の動作を示すフローチャート。
【図１５】第７実施形態によるエレベータ制御装置およびかご操作盤の動作を示すタイミングチャート。
【発明を実施するための形態】
【０００９】
《第１実施形態》
〈第１実施形態によるエレベータ制御装置の構成〉
本発明の第１実施形態によるエレベータ制御装置は、１階〜１０階の階床を有する建物に設置されたエレベータを制御するものであり、図１に示すように、乗りかご１のかごドア２、および乗りかご１内に設置されたかご操作盤３に接続されている。
【００１０】
かご操作盤３には、建物内の１階〜１０階の階床ごとの行き先階登録ボタン３０１〜３１０と、かごドア２に関する戸開ボタン３１１と、戸閉ボタン３１２とを有する。
【００１１】
本実施形態によるエレベータ制御装置１０Ａは、利用者によりいずれかの行き先階登録ボタンが操作されるとこれに基づいて当該エレベータの行き先階床を示す行き先階情報を登録し、その後、当該行き先階登録ボタンがさらに２回連続操作されると、当該行き先階の登録を取り消す機能が搭載されている。エレベータ制御装置１０Ａは、図２に示すように、操作無効判断情報記憶部１１と、ボタン操作情報処理部１２と、行き先階登録部１３とを有する。
【００１２】
操作無効判断情報記憶部１１は、登録された行き先階情報の取り消し操作を無効と判断するための、操作無効判断情報を記憶する。
【００１３】
ボタン操作情報処理部１２は、行き先階登録ボタン３０１〜３１０による操作情報を取得し、この操作情報と操作無効判断情報記憶部１１に記憶された操作情報に基づいて、行き先階情報を登録する処理や、登録された行き先階情報を取り消す処理を行う。本実施形態においては、既に登録された行き先階の行き先階登録ボタンが連続で２回操作されることにより、登録された行き先階情報を取り消す処理を実行する。
【００１４】
行き先階登録部１３は、ボタン操作情報処理部１２の処理により、行き先階情報を登録する。
【００１５】
〈第１実施形態によるエレベータ制御装置１０Ａの動作〉
本発明の第１実施形態によるエレベータ制御装置１０Ａの動作について、図３のフローチャートおよび図４のタイミングチャートを参照して説明する。
【００１６】
本実施形態において操作無効判断情報記憶部１１には、操作無効判断情報として、「行き先階の登録から所定の第１期間は、行き先階情報の取り消し操作を無効とする」情報が予め記憶されている。本実施形態においてこの第１期間は、「１秒間」である。
【００１７】
エレベータ制御装置１０Ａのボタン操作情報処理部１２では、乗りかご１が１階の乗場に停止し、かごドア２が戸開している状態で、時刻[t1]に利用者によりいずれかの行き先階登録ボタン（例えば「１０階」の行き先階登録ボタン３１０）が操作されると（Ｓ１の「YES」）、当該「１０階」が既に行き先階登録部１３に登録されている階床かが判定される（Ｓ２）。
【００１８】
ここでは「１０階」はまだ行き先階として登録されてなく（Ｓ２の「NO」）、行き先階情報として登録される（Ｓ３）。
【００１９】
行き先階情報として「１０階」が登録されると、当該「１０階」の行き先階登録ボタン３１０が点灯され、行き先階として登録されたことが利用者に報知される。
【００２０】
ステップＳ１に戻り、さらに時刻[t2]に「１０階」の行き先階登録ボタン３１０が操作されると（Ｓ１の「YES」）、当該「１０階」は既に行き先階登録部１３に登録されている階床であるため（Ｓ２の「YES」）、ステップＳ４に移る。
【００２１】
ステップＳ４では、操作無効判断情報記憶部１１に記憶された操作無効判断情報に基づいて、当該操作が行き先階の登録から１秒間以内に行われているか否かが判定される（Ｓ４）。ここでは、当該操作が行き先階の登録から１秒間以内に行われたと判定され（Ｓ４の「YES」）、操作が無効と判定される（Ｓ５）。
【００２２】
時刻[t3]になると、行き先階の登録から１秒間が経過し、以降に行われる行き先階情報の取り消し操作は有効とされるように切り替わる。
【００２３】
ステップＳ１に戻り、時刻[t4]に「１０階」の行き先階登録ボタン３１０が操作されると（Ｓ１の「YES」）、当該「１０階」は既に行き先階登録部１３に登録されている階床であり（Ｓ２の「YES」）、操作無効判断期間中ではないと判定され（Ｓ４の「NO」）、ステップＳ６に移る。
【００２４】
ステップＳ６では、登録取り消し処理が起動中であるか否か、つまり登録取り消しのための１回目の操作が既に行われているか否かが判定される（Ｓ６）。ここでは、まだ登録取り消し処理は起動されておらず（Ｓ６の「NO」）、今回の操作で登録取り消し処理が起動され、所定期間継続される（Ｓ７）。
【００２５】
登録取り消し処理が起動されると、当該「１０階」の行き先階登録ボタン３１０が点滅するように切り替えられ、登録取り消し処理が起動されたことが利用者に報知される。
【００２６】
ステップＳ１に戻り、時刻[t5]に「１０階」の行き先階登録ボタン３１０が操作されると（Ｓ１の「YES」）、当該「１０階」は既に行き先階登録部１３に登録されている階床であり（Ｓ２の「YES」）、操作無効判断期間を経過しており（Ｓ４の「YES」）、登録取り消し処理が起動中であるため（Ｓ６の「YES」）、行き先階登録部１３に登録されている該当する行き先階登録が取り消される（Ｓ８）。
【００２７】
行き先階登録が取り消されると、当該「１０階」の行き先階登録ボタン３１０が消灯され、行き先階登録が取り消されたことが利用者に報知される。
【００２８】
以上の本実施形態によれば、行き先階登録の操作から所定期間（本実施形態においては１秒間）は行き先階情報の取り消し操作を無効にするため、利用者が急いで同一の行き先階登録ボタンを連打した場合や、複数の利用者がほぼ同時期に同一の行き先階登録ボタンを操作した場合などに、行き先階登録取り消し操作として誤検出してしまう事態を避けることができる。
【００２９】
《第２実施形態》
本発明の第２実施形態によるエレベータ制御装置１０Ｂの構成は、第１実施形態によるエレベータ制御装置１０Ａと同様であるため、詳細な説明は省略する。
【００３０】
本実施形態によるエレベータ制御装置１０Ｂの動作について、図３のフローチャートおよび図５のタイミングチャートを参照して説明する。
【００３１】
本実施形態において操作無効判断情報記憶部１１には、操作無効判断情報として、第１実施形態と同様の「行き先階の登録から１秒間は、行き先階情報の取り消し操作を無効とする」情報と、「行き先階の登録後、乗りかごが戸閉してから次の戸開までの期間は、行き先階情報の取り消し操作を無効とする」情報が予め記憶されている。
【００３２】
本実施形態において、乗りかご１が１階の乗場に停止し、かごドア２が戸開している状態で、時刻[t11]〜時刻[t13]にボタン操作情報処理部１２で実行される処理は、第１実施形態の時刻[t1]〜時刻[t3]に実行される処理と同様であるため、詳細な説明は省略する。
【００３３】
時刻[t14]に、利用者による戸閉ボタン３１２の操作または戸開時間のタイムオーバーによりかごドア２が戸閉され乗りかご１の走行が開始されると、「行き先階情報の取り消し操作を無効とする期間」に入る。その後、時刻[t15]に「１０階」の行き先階登録ボタン３１０が操作されると（Ｓ１の「YES」）、当該「１０階」は既に行き先階登録部１３に登録されている階床であるため（Ｓ２の「YES」）、ステップＳ４に移る。
【００３４】
ステップＳ４では、操作無効判断情報記憶部１１に記憶された操作無効判断情報に基づいて、当該操作が行き先階の登録後、乗りかごが戸閉してから次の戸開までの期間（行き先階情報の取り消し操作を無効とする期間）に行われた操作であると判定され、（Ｓ４の「YES」）、当該操作が無効と判定される（Ｓ５）。
【００３５】
時刻[t16]になり、乗りかご１が登録された行き先階に着床して戸開すると、以降に行われる行き先階情報の取り消し操作は有効とされるように切り替わる。
【００３６】
時刻[t16]以降の戸開中に第１実施形態の時刻[t4]、時刻[t5]で行われたように行き先階登録の取り消し操作が行われると、ステップＳ６〜Ｓ８の処理により、行き先階登録取り消し処理が実行される。
【００３７】
一般的に、利用者が行き先階登録を取り消す場合、行き先階登録ボタンの操作後、早い時期に取り消し操作を行うことが多く、乗りかごの戸閉後走行中に行き先階登録を取り消すことは比較的少ない。そこで本実施形態のように処理を行うことで、第１実施形態において行き先階登録の取り消し操作を無効にするために設定した期間に加え、乗りかごの戸閉後走行中も行き先階登録の取り消し操作を無効にするように設定することで、利用者が意図しない操作を行き先階登録取り消し操作として誤検出してしまう事態を避けることができる。
【００３８】
《第３実施形態》
本発明の第３実施形態によるエレベータ制御装置１０Ｃの構成は、第１実施形態によるエレベータ制御装置１０Ａと同様であるため、詳細な説明は省略する。
【００３９】
本実施形態によるエレベータ制御装置１０Ｃの動作について、図３のフローチャートおよび図６のタイミングチャートを参照して説明する。
【００４０】
本実施形態において操作無効判断情報記憶部１１には、操作無効判断情報として、「行き先階の登録から第１期間（１秒間）は、行き先階情報の取り消し操作を無効とする」情報と、「行き先階の登録後、乗りかごが戸閉してから次の戸開までの期間は、行き先階情報の取り消し操作を無効とする」情報と、「行き先階の登録から所定の第２期間（第１期間よりも長い期間であり、例えば１５秒間）経過後は、行き先階情報の取り消し操作を無効とする」情報が予め記憶されている。
【００４１】
本実施形態において、乗りかご１が１階の乗場に停止し、かごドア２が戸開している状態で、時刻[t21]〜時刻[t23]にボタン操作情報処理部１２で実行される処理は、第１実施形態の時刻[t1]〜時刻[t3]に実行される処理と同様であるため、詳細な説明は省略する。
【００４２】
時刻[t24]になり、時刻[t21]でかごドア２が戸開してから１５秒が経過すると、以降に行われる行き先階情報の取り消し操作は無効とされるように切り替わる。
【００４３】
その後、乗りかご１の停止、戸開中の時刻[t25]に「１０階」の行き先階登録ボタン３１０が操作されると（Ｓ１の「YES」）、当該「１０階」は既に行き先階登録部１３に登録されている階床であるため（Ｓ２の「YES」）、ステップＳ４に移る。
【００４４】
ステップＳ４では、操作無効判断情報記憶部１１に記憶された操作無効判断情報に基づいて、行き先階の登録から１５秒が経過してから行われた操作であると判定され（Ｓ４の「YES」）、当該操作が無効と判定される（Ｓ５）。
【００４５】
時刻[t26]に、利用者による戸閉ボタン３１２の操作または戸開時間のタイムオーバーによりかごドア２が戸閉され乗りかご１の走行が開始されると、そのまま「行き先階情報の取り消し操作を無効とする期間」が継続され、時刻[t27]に「１０階」の行き先階登録ボタン３１０が操作されると（Ｓ１の「YES」）、上記の時刻[t25]に操作されたときと同様に、当該操作が無効と判定される（Ｓ５）。
【００４６】
時刻[t28]になり、乗りかご１が登録された行き先階に着床して戸開すると、以降に行われる行き先階情報の取り消し操作は有効とされるように切り替わる。
【００４７】
時刻[t28]以降の戸開中に第１実施形態の時刻[t4]、時刻[t5]で行われたように行き先階登録の取り消し操作が行われると、ステップＳ６〜Ｓ８の処理により、行き先階登録取り消し処理が実行される。
【００４８】
一般的に、利用者が行き先階登録を取り消す場合、行き先階登録ボタンの操作後、早い時期に取り消し操作を行うことが多いため、本実施形態のように処理を行うことで、比較的長時間にわたり戸開が継続する場合に、利用者が行き先階登録取り消し操作を行うことが想定される期間を過ぎたときには当該操作を無効のするように設定することで、利用者が意図しない操作を行き先階登録取り消し操作として誤検出してしまう事態を避けることができる。
【００４９】
《第４実施形態》
本発明の第４実施形態によるエレベータ制御装置１０Ｄの構成は、第１実施形態によるエレベータ制御装置１０Ａと同様であるため、詳細な説明は省略する。
【００５０】
本実施形態によるエレベータ制御装置１０Ｄの動作について、図７のフローチャートおよび図８のタイミングチャートを参照して説明する。
【００５１】
本実施形態において操作無効判断情報記憶部１１には、操作無効判断情報として、「行き先階の登録から１秒間は、行き先階情報の取り消し操作を無効とする」情報と、「行き先階の登録後、乗りかごが戸閉してから次の戸開までの期間は、行き先階情報の取り消し操作を無効とする」情報と、「かごドア２の戸開から１５秒経過後は、行き先階情報の取り消し操作を無効とする」情報が予め記憶されている。
【００５２】
本実施形態において、乗りかご１が１階の乗場に停止し、かごドア２が戸開している状態で、時刻[t31]〜時刻[t33]にボタン操作情報処理部１２で実行される処理は、第１実施形態の時刻[t1]〜時刻[t3]に実行される処理と同様であるため、詳細な説明は省略する。
【００５３】
時刻[t34]になり、時刻[t31]でかごドア２が戸開してから１５秒が経過すると、以降に行われる行き先階情報の取り消し操作は無効とされるように切り替わる。
【００５４】
その後、乗りかご１の停止、戸開中の時刻[t35]に「１０階」の行き先階登録ボタン３１０が操作されると（Ｓ１１の「YES」）、当該「１０階」は既に行き先階登録部１３に登録されている階床であるため（Ｓ１２の「YES」）、ステップＳ１４に移る。
【００５５】
ステップＳ１４では、操作無効判断情報記憶部１１に記憶された操作無効判断情報に基づいて、かごドア２の戸開から１５秒が経過してから行われた操作であると判定される（Ｓ１４の「YES」）。
【００５６】
このとき、当該時刻[t35]の操作直後である１秒以内の時刻[t36]にかごドア２が戸閉されたときには（Ｓ１５の「YES」）、当該戸閉の直前となる時刻[t35]の操作から所定の第３期間（例えば３秒間；時刻[t37]まで）は行き先階情報の取り消し操作は有効とされ、時刻[t35]の操作により行き先階登録の取り消し操作が起動された状態となる（Ｓ１６）。取り消し操作が起動された状態は時刻[t37]まで継続される。
【００５７】
時刻[t35]の操作から３秒が経過する前の時刻[t36]に「１０階」の行き先階登録ボタン３１０が操作されると（Ｓ１１の「YES」）、当該「１０階」は既に行き先階登録部１３に登録されている階床であるため（Ｓ１２の「YES」）、ステップＳ１４に移る。
【００５８】
ステップＳ１４ではステップＳ１６の処理により行き先階登録の取り消し操作は有効と判断され（Ｓ１４の「NO」）、登録取り消し処理起動中であることから（Ｓ１８のYES）該当する行き先階登録が取り消される（Ｓ１９）。
【００５９】
行き先階登録が取り消されると、当該「１０階」の行き先階登録ボタン３１０が消灯され、行き先階登録が取り消されたことが利用者に報知される。
【００６０】
時刻[t35]の操作から第３期間の経過後（時刻[t37]以降）は、登録された行き先階で戸開するまでは、操作無効判断情報記憶部１１に記憶された情報に基づいて行き先階情報の取り消し操作は無効とされるように切り替わる。
【００６１】
これにより、戸閉、走行中である時刻[t38]に「１０階」の行き先階登録ボタン３１０が操作されたとき（Ｓ１１の「YES」、Ｓ１２の「YES」、Ｓ１４の「YES」、Ｓ１５の「NO」）には、当該操作が無効と判定される（Ｓ１７）。
【００６２】
時刻[t39]になり、乗りかご１が登録された行き先階に着床して戸開すると、以降に行われる行き先階情報の取り消し操作は有効とされるように切り替わる。
【００６３】
また、乗りかご１が着床し戸開したことにより当該行き先階登録は行き先階登録部１３から消去され、これに伴い当該行き先階登録ボタンが消灯され、行き先階としての登録が消去されたことが利用者に報知される。
【００６４】
一般的に、利用者が登録した行き先階登録を、登録操作からある程度時間が経った後や乗りかごの戸閉後走行中に取り消すことは比較的少ないが、本実施形態においては戸閉の直前に取り消し操作が行われる可能性があることに対応し、利用者が戸閉直前に取り消し操作の１回目の操作（取り消し処理の起動のための操作）を行ったときには当該操作から所定期間内は取り消し操作の２回目の操作（登録取消しを確定させるための操作）の受付を有効とし、利用者が意図した取り消し操作を無効としてしまう事態を避けることができる。
【００６５】
《第５実施形態》
本発明の第５実施形態によるエレベータ制御装置１０Ｅの構成は、第１実施形態によるエレベータ制御装置１０Ａと同様であるため、詳細な説明は省略する。
【００６６】
本実施形態によるエレベータ制御装置１０Ｅの動作について、図９のフローチャートおよび図１０のタイミングチャートを参照して説明する。
【００６７】
本実施形態において操作無効判断情報記憶部１１には、操作無効判断情報として、「行き先階の登録から１秒間は、行き先階情報の取り消し操作を無効とする」情報が予め記憶されている。
【００６８】
本実施形態において、乗りかご１が１階の乗場に停止しかごドア２が戸開している状態で、時刻[t41]〜時刻[t43]にボタン操作情報処理部１２で実行される処理は、第１実施形態の時刻[t1]〜時刻[t3]に実行される処理と同様であるため、詳細な説明は省略する。
【００６９】
時刻[t44]に、「１０階」の行き先階登録ボタン３１０が操作されると（Ｓ２１の「YES」）、当該「１０階」は既に行き先階登録部１３に登録されている階床であり（Ｓ２２の「YES」）、操作無効判断期間中ではないと判定され（Ｓ２４の「NO」）、ステップＳ２６に移る。
【００７０】
ステップＳ２６では、登録取り消し処理が起動中であるか否か、つまり登録取り消しのための１回目の操作が既に行われているか否かが判定される（Ｓ２６）。ここでは、まだ登録取り消し処理は起動されておらず（Ｓ２６の「NO」）、今回の操作が長押し操作であるか否かが判定される（Ｓ２７）。
【００７１】
ここでは今回の操作が時刻[t45]まで継続されたことにより長押し操作であると判定され（Ｓ２７の「YES」）、取り消し処理が起動されて所定期間継続される（Ｓ２８）。
【００７２】
登録取り消し処理が起動されると、当該「１０階」の行き先階登録ボタン３１０が点滅するように切り替えられ、登録取り消し処理が起動されたことが利用者に報知される。
【００７３】
尚、ステップＳ２８において今回の操作が長押しではないと判定されたときには（Ｓ２７の「NO」）、今回の操作は無効として判定される（Ｓ２９）。
【００７４】
ステップＳ２１に戻り、時刻[t46]に「１０階」の行き先階登録ボタン３１０が操作されると（Ｓ２１の「YES」）、当該「１０階」は既に行き先階登録部１３に登録されている階床であり（Ｓ２２の「YES」）、操作無効判断期間を経過しており（Ｓ２４の「YES」）、登録取り消し処理が起動中であるため（Ｓ２６の「YES」）、行き先階登録部１３に登録されている該当する行き先階登録が取り消される（Ｓ３０）。
【００７５】
行き先階登録が取り消されると、当該「１０階」の行き先階登録ボタン３１０が消灯され、行き先階登録が取り消されたことが利用者に報知される。
【００７６】
以上の本実施形態によれば、行き先階登録の取り消し処理を起動させる際に該当する行き先登録ボタンの長押し操作を必要とすることで、利用者が急いで同一の行き先階登録ボタンを連打した場合や、複数の利用者がほぼ同時期に同一の行き先階登録ボタンを操作した場合などに、行き先階登録取り消し操作として誤検出してしまう事態を避けることができる。
【００７７】
《第６実施形態》
本発明の第６実施形態によるエレベータ制御装置１０Ｆの構成は、第１実施形態によるエレベータ制御装置１０Ａと同様であるため、詳細な説明は省略する。
【００７８】
本実施形態によるエレベータ制御装置１０Ｆの動作について、図１１のフローチャートおよび図１２のタイミングチャートを参照して説明する。
【００７９】
本実施形態において操作無効判断情報記憶部１１には、操作無効判断情報として、「行き先階の登録から１秒間は、行き先階情報の取り消し操作を無効とする」情報が予め記憶されている。
【００８０】
本実施形態において、乗りかご１が１階の乗場に停止し、かごドア２が戸開している状態で、時刻[t51]〜時刻[t53]にボタン操作情報処理部１２で実行される処理は、第１実施形態の時刻[t1]〜時刻[t3]に実行される処理と同様であるため、詳細な説明は省略する。
【００８１】
時刻[t54]に、「１０階」の行き先階登録ボタン３１０が操作されると（Ｓ３１の「YES」）、当該「１０階」は既に行き先階登録部１３に登録されている階床であり（Ｓ３２の「YES」）、操作無効判断期間中ではないと判定され（Ｓ３４の「NO」）、ステップＳ３６に移る。
【００８２】
ステップＳ３６では、登録取り消し処理が起動中であるか否か、つまり登録取り消しのための１回目の操作が既に行われているか否かが判定される（Ｓ３６）。ここでは、まだ登録取り消し処理は起動されておらず（Ｓ３６の「NO」）、今回の操作で登録取り消し処理が起動され、所定期間継続される（Ｓ３７）。
【００８３】
登録取り消し処理が起動されると、当該「１０階」の行き先階登録ボタン３１０が点滅するように切り替えられ、登録取り消し処理が起動されたことが利用者に報知される。
【００８４】
ここでボタン操作情報処理部１２において、登録取り消し処理が起動されてから所定の第４期間（例えば０．５秒間、時刻[t54] から[t56]までの間）はいたずら操作判断期間として設定され、この間に起動時の操作を含め当該行き先階登録ボタン３１０が３回以上操作された場合に「いたずら操作である」として判断するものとする。
【００８５】
ここでは時刻[t54]と[t56]との間の時刻[t55]に、登録取り消し処理の起動を含め３回目の操作が行われており、いたずら操作であると判断される（Ｓ３８）。いたずら操作であると判断されると、いたずら操作判断期間中の操作はすべて無効と判定され（Ｓ３９）、時刻[t54]に起動された登録取り消し処理も中止される。
【００８６】
登録取り消し処理の起動が中止されたことにより、当該「１０階」の行き先階登録ボタン３１０の点滅が終了して点灯状態となり、行き先階登録が登録された状態が継続されていることが利用者に報知される。
【００８７】
以上の本実施形態によれば、行き先階登録の取り消し操作は、「起動」を含めて２回の操作で処理が実行されることから、短時間に３回以上の操作があったときには利用者が行き先階登録の取り消しを意図していないものと判断する。これにより、単なるいたずら操作の場合や利用者が急いで同一の行き先階登録ボタンを連打した場合、複数の利用者がほぼ同時期に同一の行き先階登録ボタンを操作した場合などに、行き先階登録取り消し操作として誤検出してしまう事態を避けることができる。
【００８８】
《第７実施形態》
本発明の第７実施形態によるエレベータ制御装置１０Ｇは、車椅子対応エレベータを制御する。車椅子対応エレベータは、図１３に示すように、乗りかご４内のかごドア５付近に設置された一般用の行き先階登録ボタンを含むかご操作盤６と、乗りかご５内の側面に設置された車椅子専用の行き先階登録ボタンを含むかご操作盤７とを有する。エレベータ制御装置１０Ｇは、双方のかご操作盤６、７に接続されている。
【００８９】
エレベータ制御装置１０Ｇの構成は、図２の示すエレベータ制御装置１０Ａ〜１０Ｆの構成と同様であるため、詳細な説明は省略する。
【００９０】
本実施形態によるエレベータ制御装置１０Ｇの動作について、図１４のフローチャートおよび図１５のタイミングチャートを参照して説明する。
【００９１】
本実施形態において操作無効判断情報記憶部１１には、操作無効判断情報として、「行き先階の登録から１秒間は、行き先階情報の取り消し操作を無効とする」情報が予め記憶されている。
【００９２】
本実施形態において、時刻[t61]に利用者により車椅子専用のかご操作盤７で「１０階」の行き先階登録ボタンが操作されると（Ｓ４１の「YES」）、行き先階情報として登録される（Ｓ４２の「NO」、Ｓ４３）。
【００９３】
行き先階情報として「１０階」が登録されると、車椅子専用のかご操作盤７の「１０階」の行き先階登録ボタンが点灯され、行き先階として登録されたことが利用者に報知される。
【００９４】
次に、時刻[t61]から１秒間が経過（時刻[t62]）した後、時刻[t63]に一般用のかご操作盤６で「１０階」の行き先階登録ボタンが操作されると（Ｓ４１の「YES」、Ｓ４２の「YES」）、既にステップＳ４２で登録された行き先階登録が車椅子専用ボタンでの操作によるものであるため（Ｓ４４の「YES」）、ステップＳ４６に移り、今回の操作が車椅子専用の行き先階登録ボタンで行われたか否かが判定される（Ｓ４６）。
【００９５】
ここでは今回の操作は一般用の行き先階登録ボタンで行われているため（Ｓ４６の「NO」）、当該操作は無効として判定される（Ｓ４７）。
【００９６】
次に、時刻[t64]に車椅子専用のかご操作盤７で「１０階」の行き先登録ボタンが操作されると（Ｓ４１の「YES」、Ｓ４２の「YES」、Ｓ４４の「YES」）、この時点は操作無効判断期間中ではないため（Ｓ４８の「NO」）、ステップＳ５０に移り、登録取り消し処理が起動中であるか否かが判定される（Ｓ５０）。ここでは、まだ登録取り消し処理は起動されておらず（Ｓ６の「NO」）、今回の操作で登録取り消し処理が起動され、所定期間継続される（Ｓ５１）。
【００９７】
登録取り消し処理が起動されると、車椅子専用のかご操作盤７の「１０階」の行き先階登録ボタンが点滅するように切り替えられ、登録取り消し処理が起動されたことが利用者に報知される。
【００９８】
次に、時刻[t65]に車椅子専用のかご操作盤７の「１０階」の行き先階登録ボタンがさらに操作されると（Ｓ４１の「YES」、Ｓ４２の「YES」、Ｓ４４の「YES」）、この時点は操作無効判断期間中ではなく（Ｓ４８の「NO」）、登録取り消し処理が起動中であるため（Ｓ５０の「YES」）、行き先階登録部１３に登録されている該当する行き先階登録が取り消される（Ｓ５２）。
【００９９】
以上の本実施形態によれば、車椅子専用の行き先階登録ボタンで操作された行き先階登録に関しては、その車椅子専用のかご操作盤７での当該登録の取り消し操作のみを有効として受け付けるため、車椅子利用者が登録した行き先階情報を、他の一般利用者が誤って取り消してしまう事態を避けることができる。
【０１００】
本発明のいくつかの実施形態を説明したが、これらの実施形態は、例として提示したものであり、発明の範囲を限定することは意図していない。これらの新規な実施形態は、その他の様々な形態で実施されることが可能であり、発明の要旨を逸脱しない範囲で、種々の省略、置き換え、変更を行うことができる。これらの実施形態やその変形は、発明の範囲や要旨に含まれるとともに、特許請求の範囲に記載された発明とその均等の範囲に含まれる。
【符号の説明】
【０１０１】
１、４…乗りかご
２、５…かごドア
３、６…かご操作盤（一般用）
７…かご操作盤（車椅子専用）
１０Ａ〜１０Ｇ…エレベータ制御装置
１１…操作無効判断情報記憶部
１２…ボタン操作情報処理部
１３…行き先階登録部
３０１〜３１０…行き先階登録ボタン
３１１…戸開ボタン
３１２…戸閉ボタン
【図１】
2014162620.tif 000003
【図２】
2014162620.tif 000004
【図３】
2014162620.tif 000005
【図４】
2014162620.tif 000006
【図５】
2014162620.tif 000007
【図６】
2014162620.tif 000008
【図７】
2014162620.tif 000009
【図８】
2014162620.tif 000010
【図９】
2014162620.tif 000011
【図１０】
2014162620.tif 000012
【図１１】
2014162620.tif 000013
【図１２】
2014162620.tif 000014
【図１３】
2014162620.tif 000015
【図１４】
2014162620.tif 000016
【図１５】
2014162620.tif 000017
【手続補正書】
【提出日】平成26年4月21日(2014.4.21)
【手続補正１】
【補正対象書類名】特許請求の範囲
【補正対象項目名】請求項７
【補正方法】変更
【補正の内容】
【請求項７】
前記エレベータは、乗りかご内に車椅子専用の行き先階登録ボタンと、一般用の行き先階登録ボタンとを有し、
前記情報処理部は、前記車椅子専用の行き先階登録ボタンで登録された行き先階情報に関し、
前記車椅子専用の行き先階登録ボタンで実行された、当該行き先階情報を取り消すための操作は有効とし、
前記一般用の行き先階登録ボタンで実行された、当該行き先階情報を取り消すための操作は無効とする
ことを特徴とする請求項１〜６いずれか１項に記載のエレベータ制御装置。